(57)【要約】本発明は、外気導入モジュール、空調室内機及び空気調和機を開示する。前記外気導入モジュールは、外気導入シェルと外気導入モータとを含み、前記外気導入シェルが取付ブラケットを含み、前記取付ブラケットには保持空間が形成され、前記取付ブラケットの前記前記保持空間に向いた面とは反対側の表面に補強リブが突設される。前記外気導入モータは、前記保持空間内に取り付けられる。【選択図】図１
2021517226.tif 000002
【特許請求の範囲】
【請求項１】
取付ブラケットを含み、前記取付ブラケットには保持空間が形成され、前記取付ブラケットの、前記保持空間に向いた面とは反対側の表面に補強リブが突設される外気導入シェルと、
前記保持空間内に取り付けられた外気導入モータと、
を含む、外気導入モジュール。
【請求項２】
前記外気導入シェルは、本体を含み、前記取付ブラケットが前記本体の中央部に設けられ、前記本体の縁部に凸状エッジが形成され、前記補強リブは前記取付ブラケットの中心部から前記外気導入シェルの縁部に向かって延伸して、前記凸状エッジと連結する、請求項１に記載の外気導入モジュール。
【請求項３】
前記本体の中央部に退避孔が設けられ、前記取付ブラケットは枠体とベース部とを含み、前記枠体は前記退避孔の縁部から中心に向かって屈曲して延在して成り、前記ベース部が前記枠体に嵌合されると共に、それらに囲まれた前記保持空間が形成され、前記枠体及び前記本体の保持空間に向いた面とは反対側の表面に前記補強リブが形成される、請求項２に記載の外気導入モジュール。
【請求項４】
前記補強リブは、複数設けられており、複数の前記補強リブが前記枠体の周方向に沿って均等に配置されている、請求項３に記載の外気導入モジュール。
【請求項５】
前記補強リブは、板状を呈すると共に前記枠体の表面に対して垂直になるように設置される、請求項３に記載の外気導入モジュール。
【請求項６】
前記枠体は、間隔を空けて設けられた複数のフレームバーを含み、前記フレームバーは前記退避孔の縁部から中心に向かって屈曲して延在して成り、前記補強リブは複数設けられており、２つの前記補強リブが平行に配置されると共に前記フレームバーの幅方向における両側にそれぞれ位置する、請求項３〜５のいずれか一項に記載の外気導入モジュール。
【請求項７】
２つの前記補強リブの間には、それぞれ突起リブが更に突設され、前記突起リブは前記退避孔の中心から縁部に向かって延びている、請求項６に記載の外気導入モジュール。
【請求項８】
少なくとも１つの前記補強リブは、前記枠体の中心からその縁部に向かう延伸方向において階段状に設けられる、請求項６に記載の外気導入モジュール。
【請求項９】
請求項１〜８のいずれか１項に記載の外気導入モジュールを含む、空調室内機。
【請求項１０】
請求項９に記載の空調室内機を含む、空気調和機。
【発明の詳細な説明】
【技術分野】
【０００１】
［関連出願］
本願は、「外気導入モジュール、空調室内機及び空気調和機」と題し、２０１９年２月２７日に出願された、中国特許出願番号第２０１９２０２５３４１２．４号の優先権を主張し、その全内容は、引用により本明細書に組み込まれる。
【０００２】
本発明は、空気調和機技術分野に関し、特に、外気導入モジュール、空調室内機及び空気調和機に関する。
【背景技術】
【０００３】
家庭用壁掛形エアコンは、室内空気を循環させて熱交換し、密閉された部屋内で長時間使用すると、外気の補給が得られないため、室内空気が更新されず、利用者が生理的な悪影響を受けやすくなる。現在、一部の空調製品に外気導入モジュールを追加することで、外気導入換気機能或いは浄化機能を実現しているが、外気導入モジュール内のファンを駆動するモータの固定構造は十分に安定していないため、大きな振動と騒音が発生して利用者の使用にも影響を与えていた。
【０００４】
本明細書の記述は、単に本願に関連する背景情報を提供するものであり、必ずしも先行技術を構成するものではない。
【発明の概要】
【発明が解決しようとする課題】
【０００５】
本発明は、外気導入モジュールの振動が大きく、かつ騒音が多いという問題点を改善する外気導入モジュール、空調室内機及び空気調和機を提供することを主な目的とする。
【課題を解決するための手段】
【０００６】
上記目的を達成するため、本発明は、外気導入モジュールを開示する。前記外気導入モジュールは、取付ブラケットを含み、前記取付ブラケットには保持空間が形成され、前記取付ブラケットの、前記前記保持空間に向いた面とは反対側の表面に補強リブが突設される外気導入シェルと、前記保持空間内に取り付けられた外気導入モータと、を含む。
【０００７】
本発明の一実施形態では、前記外気導入シェルは、本体を含み、前記取付ブラケットが前記本体の中央部に設けられ、前記本体の縁部に凸状エッジが形成され、前記補強リブは前記取付ブラケットの中心部から外気導入シェルの縁部に向かって延伸して、前記凸状エッジと連結する。
【０００８】
本発明の一実施形態では、前記本体の中央部に退避孔が設けられ、前記取付ブラケットは枠体とベース部とを含み、前記枠体は前記退避孔の縁部から中心に向かって屈曲して延在して成り、前記ベース部が前記枠体に嵌合されると共に、それらに囲まれた前記保持空間が形成され、前記枠体及び本体の保持空間に向いた面とは反対側の表面に前記補強リブが形成される。
【０００９】
本発明の一実施形態では、前記補強リブは、複数設けられており、複数の前記補強リブが前記枠体の周方向に沿って均等に配置されている。
【００１０】
本発明の一実施形態では、前記補強リブは、板状を呈すると共に前記枠体の表面に対して垂直になるように設置される。
【００１１】
本発明の一実施形態では、前記枠体は、間隔を空けて設けられた複数のフレームバーを含み、前記フレームバーは前記退避孔の縁部から中心に向かって屈曲して延在して成り、前記補強リブは複数設けられており、２つの前記補強リブが平行に配置されると共に前記フレームバーの幅方向における両側にそれぞれ位置する。
【００１２】
本発明の一実施形態では、２つの前記補強リブの間には、それぞれ突起リブが更に突設され、前記突起リブは前記退避孔の中心から縁部に向かって延びている。
【００１３】
本発明の一実施形態では、少なくとも１つの前記補強リブは、前記枠体の中心からその縁部に向う延伸方向において階段状に設けられる。
【００１４】
本発明は、空調室内機を更に開示し、前記空調室内機は外気導入モジュールを含み、前記外気導入モジュールが上で述べたような外気導入モジュールである。
【００１５】
本発明は、空気調和機を更に開示し、前記空気調和機は上で述べたいずれか一つの実施形態の空調室内機と、前記空調室内機に接続する空調室外機とを含む。
【発明の効果】
【００１６】
本発明の技術的手段の外気導入モジュールは、外気導入モータの取付ブラケットに補強リブを設け、補強リブが取付ブラケットの強度を強化する役割を果たすことができるため、取付ブラケットの構造の安定性を良くさせ、取付ブラケットがフレッシュエアモータの振動に伴い大きく変形することを防ぐことで、機械の振動を減らすこともできる。このようにして、外気導入モジュールの運転時、騒音の発生を低減することで、利用者に伝わることを避け、ユーザーエクスペリエンスを向上させることができる。同時に、外気導入シェルの寿命を延ばし、外気導入モータの安定した動作を確保し、外気導入モジュールの性能を向上させることがきる。
【００１７】
以下、本発明の実施形態又は従来技術内の技術的手段を明確に説明するため、実施形態又は従来技術の描写中に使用する必要がある図面を簡単に説明する。以下に描写する図面は、本発明の幾つかの実施形態に過ぎず、当業者にとって格別の創意工夫を要さずに、それら図面に示す構造に基づいてその他の図面を得ることができる。
【図面の簡単な説明】
【００１８】
【図１】本発明の一実施形態に係る外気導入モジュールの構造を示す模式図である。
【図２】図１に示す外気導入モジュールの正面図である。
【図３】図１に示す外気導入モジュールの底面図である。
【図４】図１に示す外気導入モジュールの別の角度から見た構造を示す模式図である。
【図５】図１に示す外気導入モジュールの外気導入筐体の構造を示す模式図である。
【図６】図１に示す外気導入モジュールのベース部の構造を示す模式図である。
【発明を実施するための形態】
【００１９】
本発明の目的の達成、機能・特徴及び利点について、図面を基に実施形態を組み合わせて更なる説明を行う。
【００２０】
以下、本発明の実施形態の図面を組み合わせて本発明の実施形態の技術的手段について詳細に説明する。記載される実施形態は、本発明の一部の実施形態であって、全ての実施形態ではない。本発明の実施形態に基づいて当業者が格別の創意工夫を要さずに得られたその他の実施形態は、本発明の保護範囲に属する。
【００２１】
ここで言及すべき点は、本発明の実施形態において、用語「上」、「下」、「左」、「右」、「前」、「後」などが示した方位は、単に特定の姿勢（図面に示される通り）における各要素間の相対的な位置関係、運動状況などについての説明を容易にするために用いられ、図面に描かれている該特定の姿勢に変更があった場合、該方位も伴って変更される。
【００２２】
本発明において、別段の定義及び限定がない限り、用語「連結」、「固定」等は広義に解釈され、例えば「固定」が固定接続、着脱可能な連結、或いは一体であってもよいし、機械的結合、電気的な接続、直接的な連結、中間要素を介する間接的な連結、２個の要素内部の連通或いは２個の要素の相互作用関係であってもよい。当業者であれば、具体的な状況によって上記用語の本発明における具体的な意味を理解できる。
【００２３】
なお、本発明の実施形態において用語「第１」、「第２」は単に目的を説明するのに使われており、相対的な重要性を指示又は示唆する、或いは示された技術特徴の数を暗示すると理解してはいけない。そこで、「第１」、「第２」によって限定されている特徴は一つ又はもっと多くのこの特徴を含むことを明示又は暗示するものである。また本発明の各実施形態の間の技術的手段は、相互に結合できるものとするが、当業者が実施できることを原則とする。技術的手段の結合に互に矛盾があった時或いは実現できない時、この種の技術的手段の結合が存在せず、本発明請求の保護範囲外とすることが認定されるべきである。
【００２４】
本発明は、外気導入モジュール１００として提案される。
【００２５】
本発明の一実施形態では、図１乃至図４に示すように、前記外気導入モジュール１００は、取付ブラケット１３を含み、前記取付ブラケット１３には保持空間１３ａが形成され、前記保持空間１３ａに向いた面とは反対側の前記取付ブラケット１３の表面に補強リブ１３１１が突設される外気導入シェル体１０と、前記保持空間１３ａ内に取り付けられた外気導入モータ３０と、を含む。
【００２６】
本実施形態では、外気導入モジュール１００は、室内に新鮮な空気を取り入れるため、主に空調室内機内に取り付けられ、外気導入モジュール１００という内蔵設置構造は、外観が美しく、使い勝手がよい。ここで、空調室内機は、壁掛式又は床置式室内機であってもよく、ここでは限定されない。当然、外気導入モジュール１００も単独で設置することもできる。
【００２７】
具体的に言えば、外気導入モジュール１００の外気導入シェル１０に外気導入室が形成されており、外気導入シェル１０に外気導入室と連通する外気吹出口及び外気吸込口が設けられ、また外気吸込口に外気導入風路を接続することにより室外と外気導入室に連通する。同時に、外気導入モジュール１００は、外気導入ファンを更に含み、外気導入ファンが空気を吸い込んで出力する装置であることを当業者は理解するであろう。前記外気導入ファンは、外気導入室内に取り付けられ、外気を外気導入室に送り込んでから、さらに外気導入吹出口を通じて外気を室内に取り入れることで、外気を室内に吸込んで、空気をきれいにするように設定される。外気導入ファンの回転は、外気導入モータ３０によって駆動され、前記外気導入モータ３０は外気導入シェル１０の取付ブラケット１３内に取り付けられ、回転軸を通じて外気導入ファンに接続して駆動することを実現し、前記取付ブラケット１３には回転軸が貫通するための軸穴が設けられている。前記取付ブラケット１３は、外気導入シェル１０と一体構造であってもよいし、別体構造であって固定又は取り外し可能な接続によって接続されてもよい。前記保持空間１３ａは、外気導入モータ３０の形状に適合し、これにより、外気導入モータ３０の安定した取り付けが実現される。取付ブラケット１３の、保持空間１３ａに向いた面とは反対側の表面には、補強リブ１３１１が設けられ、前記補強リブ１３１１は１本であっても複数であってもよく、形状は、ブロック状、長尺状またはその他の形状であってもよく、これに限定されない。補強リブ１３１１と取付ブラケット１３とは一体成型構造に形成されており、取付ブラケット１３の構造強度を効果的に向上させている。
【００２８】
本発明の技術的手段の外気導入モジュール１００は、外気導入モータ３０の取付ブラケット１３に補強リブ１３１１を設け、補強リブ１３１１が取付ブラケット１３の強度を強化する役割を果たすことができるため、取付ブラケット１３の構造の安定性が高く、取付ブラケット１３が外気導入モータ３０の振動に伴い大きく変形することを防ぐことで、外気導入モジュール１００の機械振動を減らすこともできる。このようにして、外気導入モジュール１００の運転時、騒音の発生を低減することで、利用者に伝わることを避け、ユーザーエクスペリエンスを向上させることができる。同時に補強リブ１３１１の設置により、外気導入シェル１０の寿命を延ばし、外気導入モータ３０の安定した動作を確保し、外気導入モジュール１００の性能を向上させることもできる。
【００２９】
引き続き図１、図４及び図５を参照すると、前記外気導入シェル１０は、本体１１を含み、前記取付ブラケット１３が前記本体１１の中央部に設けられ、前記本体１１の縁部に凸状エッジ１１１が形成され、前記補強リブ１３１１が前記取付ブラケット１３の中央部から外気導入シェル１０の縁部に向けて延伸して、前記凸状エッジ１１１と連結する。
【００３０】
本実施形態では、外気導入シェル１０の本体１１は外気導入室の一部であり、具体的構造において、外気導入シェル１０は分体構造であり、取り外し可能な２つの部分を嵌合してなり、外気導入室を形成する。本体１１がその一部であり、取付ブラケット１３が本体１１の中央部に設けられることで、外気導入モータ３０を本体１１の中央部が設けることができ、それによって外気導入モータ３０の設置安定性を向上できる。本体１１は、ほぼ渦巻形状を呈し、他の部分の形状が本体１１とほぼ同一で、外気導入ファンを収容するためのチャンバが形成されている。外気導入シェル１０の２つの部分が嵌合されて外気導入室を形成した時、外気導入モータ３０も外気導入ファンと対応して接続できる。本体１１の、保持空間１３ａに向いた面とは反対側の表面縁部に凸状エッジ１１１が形成され、この表面はすなわち外気導入室に向いた面とは反対側の表面であり、該凸状エッジ１１１と本体１１とは一体に形成され、構造強度が高い。具体的に言えば、凸状エッジ１１１は、板状を呈して本体１１の表面と垂直に設けられることで、凸状エッジ１１１と本体１１の構造安定性をさらに高めることができる。当然、凸状エッジ１１１は細長い円柱状を呈して本体１１の縁部に沿って延びてもよい。凸状エッジ１１１は、本体１１の縁部に沿って連続的に分布してもよく、断続的に間隔を空けて設置することもでき、補強リブ１３１１の延伸端との連結が保証されればよい。取付ブラケット１３に設けられた補強リブ１３１１は、本体１１の中心から縁部に向けて延伸すると共に凸状エッジ１１１に当接している。前記補強リブ１３１１は本体１１の表面にも連結されているので、補強リブ１３１１と凸状エッジ１１１を一体に形成することができる。補強リブ１３１１の延在方向は、凸状エッジ１１１の延在方向に垂直であるため、外気導入モータ３０が振動を発生する場合、凸状エッジ１１１が取付ブラケット１３と補強リブ１３１１の延在方向の振動による変形を効果的にブロックすることができることで、取付ブラケット１３の構造安定性をさらに向上するので、外気導入モータ３０の安定した運転性能を向上させ、騒音の発生を低減することができる。本実施形態では、本体１１、取付ブラケット１３、補強リブ１３１１及び凸状エッジ１１１は一体成形構造として設置されることで、加工に便利であり、同時に外気導入シェル１０の強度を大幅に向上させることができる。
【００３１】
図１及び図３を参照すると、本発明の一実施形態では、前記本体１１の中部に退避孔１１３が開設され、前記取付ブラケット１３は枠体１３１とベース部１３３とを含み、前記枠体１３１は前記退避孔１１３の縁部から中心に向かって屈曲して延在して成り、前記ベース部１３３が前記枠体１３１に嵌合されると共に、それらに囲まれた前記保持空間１３ａが形成され、前記枠体１３１及び本体１１の前記保持空間１３ａに向いた面とは反対側の表面に、前記補強リブ１３１１が形成される。
【００３２】
本実施形態では、外気導入モータ３０を簡単に取り付けるため、取付ブラケット１３は、取り外し可能に結合された枠体１３１及びベース部１３３として構成される。枠体１３１は、本体１１の、退避孔１１３に沿った縁部から、中心に向かって屈曲して延在して成ることで、外気導入モータ３０を収容するハウジングを形成し、ベース部１３３が枠体１３１上に嵌合されることで、保持空間１３ａを形成する。ベース部１３３と枠体１３１の結合方式は、螺合式又はスナップフィット式或いは差込み式などであってもよい。本実施形態では、結合の安定性のため、枠体１３１とベース部１３３は螺合により結合する。枠体１３１は、本体１１と一体に形成され、外気導入モータ３０が主に枠体１３１内に収容されるため、枠体１３１の表面に補強リブ１３１１を設けることにより、取付ブラケット１３の構造安定性を大幅に向上でき、外気導入モジュール１００の全体的な安定性も高めることができる。
【００３３】
図２を参照すると、本発明の一実施形態では、前記補強リブ１３１１は、複数設けられており、複数の前記補強リブ１３１１が前記枠体１３１の周方向に沿って均等に配置されている。
【００３４】
本実施形態では、補強リブ１３１１が複数設けられ、ここで複数とは、２本または２本以上であってもよく、補強リブ１３１１の数が増えることで、取付ブラケット１３の構造安定性をさらに向上させることができる。同時に、複数の補強リブ１３１１を、枠体１３１の周方向に沿って均等に配置することにより、枠体１３１の各部の強度を高め、枠体１３１の構造強度の不均一により振動に伴って応力集中が発生し易くなるのを防止し、取付ブラケット１３の強度の均一性をアップできる。
【００３５】
本発明の一実施形態では、前記補強リブ１３１１は、板状を呈すると共に前記枠体１３１の表面に垂直になるよう設置される。
【００３６】
本実施形態では、補強リブ１３１１は板状に設けられ、その厚さの範囲が本体１１の厚さに応じて選択可能であり、本体１１の厚さと一致させることができる。板状の補強リブ１３１１は、枠体１３１の表面に垂直に設けられ、本体１１と枠体１３１の変形の程度が、力の重畳原理により効果的に低減されることで、取付ブラケット１３の振動周波数を低減し、外気導入モータ３０の安定性をアップさせ、また騒音の発生も減らすことができる。
【００３７】
本発明の一実施形態では、前記枠体１３１は、間隔を空けて設けられた複数のフレームバー１３１３を含み、前記補強リブ１３１１は複数設けられており、２つの前記補強リブ１３１１が平行に配置されると共に各々前記フレームバー１３１３の幅方向上の両側に位置される。
【００３８】
本実施形態では、外気導入モータ３０の取り付けに合わせると共に効果的に放熱するため、枠体１３１は間隔を空けて設けられた複数のフレームバー１３１３で構成され、２つのフレームバー１３１３の間がそれぞれ放熱スペースであるため、外気導入モータ３０の運転性能を大幅に高め、優れた放熱性能を保証できる。各フレームバー１３１３は、退避孔１１３の縁部から中心方向に向かって屈曲して延在して成り、補強リブ１３１１が複数設けられ、且つ各フレームバー１３１３の延在方向に垂直する幅方向に少なくとも２本の補強リブ１３１１が設けられ、２本の補強リブ１３１１が各々フレームバー１３１３の幅方向上の両側に位置するため、フレームバー１３１３の構造強度を大幅に高め、枠体１３１の構造安定性を保証できる。具体的に言えば、フレームバー１３１３が３本設けられ、３本のフレームバー１３１３が退避孔１１３の周方向に沿って均等に配置されることで、補強リブ１３１１の均一な配置を確保し、同時に強度を確保しながら材料を節約できる。枠体１３１の構造に対応して、ベース部１３３に３つの連結耳部１３３１が設けられ、各連結耳部１３３１に連結穴１３３３が設けられ、枠体１３１の３本のフレームバー１３１３に取付穴１３１３ａが設けられ、連結穴１３３３を通じて枠体１３１の３本のフレームバー１３１３の取付穴１３１３ａと螺合するため、安定した取り付け構造を実現する。
【００３９】
さらに、図５及び図６を参照すると、ベース部１３３と枠体１３１の取付けを容易にするため、ベース部１３３の連結耳部１３３１の端部に位置決め溝１３３５が設けられ、フレームバー１３１３の端部に位置決めブロック１３１３ｂが設けられ、位置決め溝１３３５と位置決めブロック１３１３ｂが嵌合されることで、ベース部１３３が枠体１３１に対して固定され、螺合を容易にし、組立効率がアップする。
【００４０】
引き続き図４を参照すると、本発明の一実施形態では、２本の前記補強リブ１３１１の間には、それぞれ突起リブ１３１５が更に突設され、前記突起リブ１３１５は前記枠体１３１の中心から縁部に向かって延びる。
【００４１】
本実施形態では、枠体１３１の構造強度をさらに高めるために、各フレームバー１３１３の２本の補強リブ１３１１の間に突起リブ１３１５が更に設けられ、前記突起リブ１３１５はフレームバー１３１３と一体に形成することができる。突起リブ１３１５の構造形状も板状であり、かつフレームバー１３１３の表面に垂直に設けられる。厚さは補強リブ１３１１の厚さより薄くてもよい。突起リブ１３１５は、枠体１３１の中心から縁部に向かって延伸し、延在方向の長さは補強リブ１３１１の長さより短くてもよく、加工が容易であると同時に、補強リブ１３１１と共同で枠体１３１を強化する役割を果たす。
【００４２】
本発明の一実施形態では、少なくとも１本の前記補強リブ１３１１は、前記枠体１３１の中心からその縁部に向う延伸方向において階段状に設けられる。
【００４３】
本実施形態では、フレームバー１３１３は延在方向において屈曲して延在しているため、一定の段差構造が形成され、補強リブ１３１１のフレームバー１３１３に垂直な高さはその延在方向において不均一でも均一でもよいが、補強リブ１３１１にも、その延在方向において段差構造が形成されており、その段差構造はフレームバー１３１３の段差形状に沿っていてもよいし、本体１１と接触する部分に段差構造を形成してもよい。その構造の補強リブ１３１１の設置は、補強リブ１３１１自体の構造強度をさらに向上させることができ、その延在方向に垂直な方向に段差が形成されるため、延在方向の柔軟性を効果的に阻害して剛性を高めることができることで、フレームバー１３１３及び枠体１３１の構造強度を高め、更に外気導入モータ３０の安定性をアップさせ、騒音の発生を減らすことができる。
【００４４】
本発明は、空調室内機（図示せず）を更に開示し、前記空調室内機は外気導入モジュール１００を含み、前記外気導入モジュール１００は上記の実施形態で説明したような外気導入モジュール１００であり、本実施形態の空調室内機の具体的な構造は上記実施形態を参照されたい。本実施形態の空調室内機は上記実施形態の技術的手段を採用するため、上記実施形態の技術的手段でもたらされる機能を有し、ここではこれ以上説明しない。
【００４５】
本実施形態では、空調室内機は、空気を冷却又は加熱するなど、空気を熱交換する装置である。当業者にとって、空調室内機は第２筐体と室内機本体とを更に含み、第２筐体にベースとパネルフレーム等の要素が含まれるものとするが、これらに限定されない。室内機本体には室内熱交換機やファンなどの部材が含まれるが、これらに限定されない。第２筐体には風路を形成し、また吸込口と吹出口とを備え、ファンが風路内に設けられ、ファンが回転し、空気は室内熱交換器を経由した後、風路に入ると共に吹出口を通じて送り出される。
【００４６】
外気導入モジュール１００も第２筐体内に設けられ、かつ第２筐体の長手方向において室内機本体と並んで配置されている、すなわち、外気導入モジュール１００の外気導入シェル１０は、室内熱交換器或いはファンと並んで配置されていることで、外気導入室内で流通する外気が室内熱交換器の熱交換の効率に影響を及ぼさない。第２筐体は、外気導入モジュール１００の外気吹出口と連通する開口部を設けることができるため、外気が室内に取り入れられることを確保する。当然、第２筐体のパネルが外気吹出口を覆わず、外気吹出口が直接室内に連通することで、空気の更新効率を効果的にアップすることも可能である。
【００４７】
本発明は、空気調和機（図示せず）を更に開示し、前記空気調和機は空調室内機と、前記空調室内機に接続する空調室外機とを含む。前記空調室内機は、第２筐体と室内機本体と外気導入モジュール１００とを含み、前記外気導入モジュール１００と前記室内機本体が前記第２筐体の長手方向に沿って並んで配置されている。本実施形態の空調室内機の具体的な構造は上記実施形態を参照されたい。本実施形態の空調室内機は上記実施形態の技術的手段を採用するため、上記実施形態の技術的手段でもたらされる機能を有し、ここではこれ以上説明しない。
【００４８】
前記空調室外機は、従来技術の空調室外機であってもよい。
【００４９】
本発明では好ましい実施形態を前述の通り開示したが、これらは決して本発明を限定するものではなく、本発明の明細書及び図面を利用した均等の範囲内での各種の変更や修飾、若しくは直接的又は間接的なその他の関連の技術分野への応用は、本発明の特許保護範囲内に含めるものであるのは勿論である。
【符号の説明】
【００５０】
１００  外気導入モジュール
１０  外気導入シェル
１１  本体
１１１  凸状エッジ
１１３  退避孔
１３  取付ブラケット
１３ａ  保持空間
１３１  枠体
１３１１  補強リブ
１３１３  フレームバー
１３１３ａ  取付穴
１３１３ｂ  位置決めブロック
１３１５  突起リブ
１３３  ベース部
１３３１  連結耳部
１３３３  連結穴
１３３５  位置決め溝
３０  外気導入モータ
【図１】
2021517226.tif 000003
【図２】
2021517226.tif 000004
【図３】
2021517226.tif 000005
【図４】
2021517226.tif 000006
【図５】
2021517226.tif 000007
【図６】
2021517226.tif 000008
【国際調査報告】
2021517226.tif 000009
2021517226.tif 000010
2021517226.tif 000011
2021517226.tif 000012
2021517226.tif 000013
2021517226.tif 000014